(57)【特許請求の範囲】
【請求項１】
各地区における通信ネットワークの系統図をディスプレイ画面に表示すると共に、通信ネットワーク上の各監視対象部の状態を収集して系統図上に表示する状態監視システムにおいて、
通信ネットワークの各監視対象部の状態を収集する複数の状態収集装置と、
複数の状態収集装置から通知される各監視対象部の状態を一括管理する端末制御装置と、
所定の系統図をディスプレイ画面に表示すると共に、端末制御装置に当該系統図中に存在する監視対象部の状態値を要求し、端末制御装置より送られて来る該監視対象部の状態値をメモリに記憶し、該状態値に基づいて系統図中の各監視対象部の状態を表示する複数の監視端末装置、
を備え、前記監視端末装置は、状態値要求データに系統図の画面番号を付加して端末制御装置に監視対象部の状態値を要求し、
端末制御装置は該要求に基づいて画面番号で指定された系統図中に存在する監視対象部の状態値を前記監視端末装置に通知し、
監視端末装置は該状態値に基づいて各監視対象部の状態を系統図中に表示することを特徴とする状態監視システム。
【請求項２】
端末制御装置は、各監視対象部に対応して複数の状態の状態値を記憶する状態値管理テーブルを備え、前記監視端末装置からの状態値要求データに付加されている画面番号により指定された系統図中に存在する監視対象部の各状態の値を状態値管理テーブルより求めて監視端末装置に通知し、
監視端末装置は監視対象部の複数の状態を１つのマークで表示色を変えて系統図中に表示することを特徴とする請求項１記載の状態監視システム。
【請求項３】
監視端末装置は、各状態の状態値の組合せと表示色の対応関係を記憶するマーク表示パターンテーブルを備え、該テーブルを参照してマークの表示色を決定して複数の状態を１つのマークで表示することを特徴とする請求項２記載の状態監視システム。
【請求項４】
端末制御装置は前記要求に基づいて画面番号で指定された系統図中に存在する監視対象部のうち状態値が１の監視対象部を前記監視端末装置に通知し、監視端末装置は、受信した監視対象部の状態値を１、受信しない監視対象部の状態値を０とし、該状態値に基づいて各監視対象部の状態を系統図中に表示することを特徴とする請求項１記載の状態監視システム。
【請求項５】
監視端末装置は、監視対象部の状態値が変化する毎に状態値の通知を必要とするか否かを示すデータを前記状態値要求データに付加し、
端末制御装置は、前記通知を必要とする監視端末装置と該監視端末装置が表示している系統図の画面番号との対応を記憶し、該系統図中の監視対象部の状態が変化したとき、状態値を監視端末装置に通知する請求項４記載の状態監視システム。
【請求項６】
監視端末装置は、状態値要求データを一定周期で端末制御装置に送出することを特徴とする請求項４記載の状態監視システム。
【請求項７】
端末制御装置は、
各監視対象部における複数の状態の状態値をそれぞれ記憶する状態値管理テーブルと各監視対象部における複数の状態のそれぞれについてフリッカを行うか否かを示すフリッカ値を記憶するフリッカ管理テーブルを備え、あるいは状態値管理テーブルとフリッカ管理テーブルを組み合わせた状態値／フリッカ管理テーブルを備え、
監視端末装置は、各状態の状態値及びフリッカ値の組合せに対応させてマークの表示色と該マークをフリッカするか否かを示すマーク表示パターンテーブルを備え、
端末制御装置は、前記監視端末装置からの状態値要求データに付加されている画面番号により指定された系統図中に存在する監視対象部の各状態の値及び各状態のフリッカ値を前記監視端末装置に通知し、
監視端末装置は、前記マーク表示パターンテーブルを参照してマークの表示色及びフリッカするか否かを決定して複数の状態を１つのマークで表示することを特徴とする請求項１記載の状態監視システム。
【請求項８】
監視端末装置をグループ化し、各グループ毎に１つのフリッカ管理テーブルを端末制御装置に設け、
端末制御装置は所定監視対象部の所定状態のフリッカ値を１にする場合、該監視対象部のフリッカ値を管理するすべてのフリッカ管理テーブルの値を１にし、
所定の監視端末装置よりフリッカ停止が指示された時、該監視端末装置が属するグループに応じたフリッカ管理テーブルの該当フリッカ値を０にして該グループ内のすべての監視端末装置のフリッカを停止し、他グループに属する監視端末装置のフリッカを停止しないようにしたことを特徴とする請求項７記載の状態監視システム。
【発明の詳細な説明】
【０００１】
【産業上の利用分野】
本発明は通信ネットワークの状態監視システムに係わり、特に、通信ネットワークの系統図中に通信装置、回線（伝送路）等のの故障／作業状況／運転系等を適宜表示する状態監視システムに関する。
【０００２】
【従来の技術】
通信ネットワークにおいては、サービス向上の観点より障害が発生したとき、障害点を迅速に把握してバックアップや修理を行う必要がある。このため、センタにおいてネットワーク各部での正常運転中／故障発生／作業中等の状況を一括して把握できるようになっている。図２２はかかる従来の状態監視システムの構成図である。図中、１は通信ネットワークであり、１ａ〜１ｎは交換機等の通信装置、２ａ〜２ｍは伝送路、３はネットワーク各部（通信装置、回線）での状態を収集する状態値収集系で、各地区あるいは複数の地区毎に１つの収集系装置３ａ〜３ｋが設けられている。４は通信ネットワークの系統図を表示すると共に、該系統図中にネットワーク各部での正常運転中／故障発生／作業中等の状況を表示するセンタ、５はＬＡＮである。各収集系装置３ａ〜３ｋはそれぞれ担当する地区に配置された多数の通信装置、回線の状態値を収集し、各部の状態値を所定の周期で例えば２０秒毎にＬＡＮ５を介してセンタ４に送出する。
【０００３】
センタ４は、図２３に示すように各部の状態値変化を検出して送出する状変検出装置６と、各地区のネットワークの構成を示す系統図と共に、ネットワーク各部の運転／故障／作業状況を示す複数の監視端末装置７ａ〜７ｒと、状変検出装置６と各監視端末装置７ａ〜７ｒ間を接続するＬＡＮ８を備えている。各監視端末装置７ａ〜７ｒはワークステーションＷＳあるいはパソコンＰＳで構成されており、それぞれ全地区の系統図を記憶すると共に、全地区の状態値をマーク状態管理テーブルにより管理する。尚、各監視端末装置７ａ〜７ｒは全地区の系統図／状態を表示することができるが、主には監視端末装置７ａは××地区、監視端末装置７ｂは〇〇地区の状態を監視するように決められている。又、１地区が１画面で表示できない場合には、１地区について複数の監視端末装置が割り当てられることもある。
【０００４】
状変検出装置６は、管理する全地区における通信装置、回線の状態を記憶するメモリを備え、所定周期で各収集系装置３ａ〜３ｋから送信されて来る各部の最新の状態と記憶状態値を比較し、所定の監視対象部において状態値変化（１→０又は０→１）を検出すると、該監視対象部の状態値をＬＡＮ８を介して全監視端末装置７ａ〜７ｒに送出する。監視端末装置７ａ〜７ｒは状態値変化情報を受信するとマーク状態管理テーブルを更新する。
各監視端末装置７ａ〜７ｒは以上のように、全地区の系統図を記憶すると共に、全地区の状態値をマーク状態管理テーブルにより管理しており、オペレータの指示により任意の地区の系統図と状態を表示できる。すなわち、オペレータが監視端末装置７ａのキーボードを操作して所定の地区を指示すると、該監視端末装置７ａは指示された地区の系統図ＳＦＧ（図２３）をメモリから読み出してディスプレイ画面に表示すると共に、該地区におけるネットワーク各部の状態をマーク状態管理テーブルより読み出してディスプレイ画面に表示する。
【０００５】
系統図ＳＦＧにおいて、９ａ，９ｂ，・・・はネットワーク中の通信装置を示すブロックであり、１０ａ，１０，・・・は回線（伝送路）を示す線である。通信装置を示すブロックは、故障表示マークＴＩＭ、作業表示マークＷＩＭ、入局表示マークＥＩＭ、１系運転表示マークＤＩＭ等を備えている。これらマークは例えば、以下のように表示される。すなわち、（１）  通信装置が正常に１系運転中は運転表示マークＤＩＭのみが緑色に表示される。又、（２）  通信装置に障害が発生すると故障表示マークＴＩＭが赤色でフリッカ表示され、オペレータが故障発生を確認してフリッカ停止操作をおこなうとフリッカが停止し、故障表示マークＴＩＭが赤色で表示される。又、（３）  保守者が障害箇所復旧作業のために、通信装置のドアを開けて装置内に入ると入局表示マークＥＩＭが表示され、（４）  保守者が作業開始ボタンを押下すると作業表示マークＷＩＭが黄色でフリッカ表示される。（５）  オペレータが作業開始を確認してフリッカ停止操作するとフリッカが停止し、以後、障害箇所の復旧作業をしている間は、故障表示マークＴＩＭが赤色で、かつ、作業表示マークＷＩＭが黄色で表示される。
【０００６】
【発明が解決しようとする課題】
従来の監視システムにおいて各監視端末装置７ａ〜７ｒは状変検出装置６に直接接続されている。そして、状変検出装置６は状態変化を検出すると全ての監視端末装置に当該装置状態を送信し、各監視端末装置はそれぞれ管理しているマーク状態管理テーブルを更新する。すなわち、監視端末装置側で表示していない画面の情報についても、常に状変検出装置６は全監視端末装置に状態変化情報を転送するものであった。監視端末装置数が少ない小規模のネットワークの場合には、従来の監視システムに潜在している欠点は顕著に現われない。
【０００７】
しかし、近年、監視対象である通信ネットワークの規模が大きくなり、ネットワークを形成する各種装置／回線等の数が増大しており、又、センタに配置される監視端末装置数も多くなっている。このため、状態変化が発生する頻度が従来に比べて多くなっており、状態変化が発生する度に該状態変化情報を全監視端末装置に送信していては、状変検出装置のＣＰＵ負荷や状変検出装置〜監視端末装置間の通信負荷が極端に重くなり、状態監視システムに取って重要なリアルタイム性が低下する。状態監視システムは、いち早く異常を検出して対処しなければならないため、リアルタイム性の低下は大きな問題となっている。
又、ネットワーク規模の増大に伴い、１画面内に表示する装置数が増えている。従来の監視端末装置では、１つのブロック内に複数のマークを表示する必要があり、１画面内の装置数の増大に伴い各ブロックのサイズを小さくしなければならず、画面が見にくくなり、状態把握が容易でない問題がある。又、ブロックサイズを従来と同じ大きさにすれば、１画面に表示する装置数が減小し、画面数が多くなてって効率的でなく、しかも、１画面で多くの装置情報を見たいという要求を満足できない問題がある。
【０００８】
監視端末装置（例えば監視端末装置７ａ）において所定地区の系統図／状態を表示している際、ある通信装置の故障表示マークＴＩＭが障害発生によりフリッカ表示すると、オペレータは該障害に対して対策を講じた後、フリッカ停止操作を行う。これにより、監視端末装置７ａにおいて故障表示マークＴＩＭのフリッカが停止し、以後、該故障表示マークは赤色で表示される。ところで、監視端末装置７ａ〜７ｒは個別にネットワーク各部の状態を管理しているため、監視端末装置７ａ以外の他の監視端末装置７ｂ〜７ｒにはフリッカ停止が指示されない。このため、他の監視端末装置７ｂ〜７ｒが前記地区の系統図／状態を表示すると、前記通信装置の故障表示マークＴＩＭが赤色フリッカで表示されてしまい、障害に対する対策が重複して混乱を招く問題があり、しかも、それぞれ監視端末装置がフリッカ停止指示を行わなければならない問題があった。すなわち、同じ地区を管理している監視端末装置であっても、フリッカ停止の同期がとれず、それぞれがフリッカ停止指示を行わなければならない問題があった。
【０００９】
以上から、本発明の目的は、端末制御装置の負荷を軽減でき、しかも、端末制御装置と監視端末装置間の通信路の負荷を軽減でき、状態表示のアルタイム性を維持できる通信ネットワークの状態監視システムを提供することである。
本発明の別の目的は、故障表示マーク、作業表示マーク、運転表示マーク等の各種マークを個別に設けなくても、１つのマークで各種状態を表示でき、しかも、１画面で多数の装置の状態を表示することができる通信ネットワークの状態監視システムを提供することである。
本発明の更に別の目的は、監視端末装置をグループ化し、１つの監視端末装置よりフリッカ停止が指示された時、同一グループ内の全監視端末装置においてフリッカを停止し、他のグループでのフリッカ停止をしない通信ネットワークの状態監視システムを提供することである。
【００１０】
【問題点を解決するための手段】
図１は本発明の原理説明図である。
１１は通信ネットワークであり、１１ａ〜１１ｄは交換機等の通信装置、１２ａ〜１２ｅは伝送路である。通信装置、伝送路はそれぞれ監視対象部となる。２１は通信ネットワークの各監視対象部の状態（故障の有無、修復作業の有無、運転系等）を収集する状態値収集系であり、２１ａ〜２１ｃは状態収集装置である。３１は各監視対象部の状態変化を検出する状態変化検出装置（状変検出装置）であり、（１）  定期的に状態収集装置から通知される各監視対象部の状態値を記憶する記憶部３１ａ、（２）  状態収集装置から通知される各監視対象部の最新の状態値と前記記憶状態値を比較して状態変化があったことを識別する状態値比較部３１ｂ、（３）  状態変化があった監視対象部の状態を端末制御装置に通知する通知部３１ｃを有している。
【００１１】
４１は状態収集装置２１ａ〜２１ｃから状変検出装置３１を介して通知される各監視対象部の状態を一括管理する端末制御装置であり、▲１▼各監視対象部に対応して、故障の有無、故障修復作業中か否か等複数の状態の状態値をそれぞれ記憶する状態値管理テーブル４２、▲２▼各監視対象部に対応して、故障発生フリッカ、修復作業発生フリッカ、故障復旧フリッカ等を行うか否かを示すフリッカ値を状態毎に記憶するフリッカ管理テーブル４３を備えている。５１１〜５１ｎは、所定の系統図をディスプレイ画面に表示すると共に、系統図中の各監視対象部の状態を表示する複数の監視端末装置であり、それぞれ、▲１▼端末制御装置より送られて来る監視対象部の状態値及びフリッカ値を記憶するマーク状態管理テーブル５２、▲２▼監視対象部における複数の状態値の組合せと表示色の対応関係を記憶するマーク表示パターンテーブル５３を備えている。
【００１２】
【作用】
状態収集装置２１ａ〜２１ｃは通信ネットワーク１１の各監視対象部１１ａ〜１１ｄ，１２ａ〜１２ｅの状態を収集して状変検出装置３１を介して端末制御装置４１に通知する。端末制御装置４１は各状態収集装置から通知されるすべての監視対象部の状態値を状態値管理テーブル４２に記憶して一括管理する。各監視端末装置５１１〜５１ｎは、所定の地区におけるネットワークの系統図をディスプレイ画面に表示すると共に、端末制御装置４１に該系統図中に存在する監視対象部の状態値を要求し、該要求により端末制御装置４１から送られて来る該監視対象部の状態値をマーク状態管理テーブル５２に記憶し、該状態値に基づいて系統図中の各監視対象部の状態をマークで表示する。
【００１３】
又、各状態収集装置２１ａ〜２１ｃから端末制御装置４１への監視対象部の状態値入力は、これらの間に状変検出装置３１を介在させて行う。すなわち、状変検出装置３１は状態収集装置２１ａ〜２１ｃから定期的に通知されるすべての監視対象部の状態値を記憶し、状態収集装置から通知される各監視対象部の最新の状態値と１周期前の記憶状態値を比較して状態変化があった監視対象部を識別し、状態変化があった監視対象部の状態値を端末制御装置４１に通知する。
以上のように、端末制御装置４１によりすべての監視対象部の状態を一括管理し、監視端末装置５１１〜５１ｎより要求があった時にのみ端末制御装置４１は要求された系統図中に存在する監視対象部の状態値を監視端末装置に通知するようにしたから、端末制御装置４１と各監視端末装置５１１〜５１ｎ間での通信負荷を軽減でき、しかも、状変検出装置３１と端末制御装置４１とによりＣＰＵ負荷の分散を図ったから、リアルタイム性を向上できる。
・・・請求項１、２、３
【００１４】
又、端末制御装置４１は、監視対象部に対応して故障の有無状態、故障の修復作業中か否かの状態等、複数の状態の状態値を記憶する状態値管理テーブル４２を備え、監視端末装置５１１〜５１ｎからの状態値要求ブロックで要求された系統図中に存在する監視対象部の各状態の値を状態値管理テーブル４２より求めて監視端末装置に通知し、監視端末装置は監視対象部の複数の状態を１つのマークで表示色を変えて系統図中に表示する。この場合、各監視端末装置５１１〜５１ｎは、各状態の状態値の組合せと表示色の対応関係を記憶するマーク表示パターンテーブル５３を備え、該テーブルを参照してマークの表示色を決定して複数の状態を１つのマークで表示する。このようにすれば、故障表示マーク、作業表示マーク、運転系表示マーク等の各種マークを個別に設けなくても、１つのマークで各種状態を表示でき、しかも、１画面で多数の装置の状態を表示することができる。
・・・請求項４、５
【００１５】
端末制御装置４１は、状態値要求ブロックに含まれる画面番号で指定された系統図中に存在する監視対象部のうち状態値が１の監視対象部を監視端末装置に通知し、監視端末装置は、受信した監視対象部の状態値を１、受信しない監視対象部の状態値を０とし、該状態値に基づいて各監視対象部の状態を系統図中に表示する。このようにすれば、系統図中のすべての監視対象部の状態値を送る必要がないため、通信データ量を減少でき、リアルタイム性を向上することができる。・・・請求項６
【００１６】
監視端末装置５１１〜５１ｎは、監視対象部の状態値が変化する毎に状態値の通知を必要とするか否かを示すデータを状態値要求ブロックに付加して監視対象部の状態値を端末制御装置４１に要求し（非同期転送要求）、端末制御装置４１は、非同期転送を必要とする監視端末装置と該監視端末装置が現在表示している系統図の画面番号との対応を記憶し、該系統図中の監視対象部の状態が変化したとき、状態値を監視端末装置に直ちに通知する。このようにすれば、端末制御装置４１は、状態値要求ブロックを受信しなくても状態が変化すれば直ちに監視対象部の状態値を監視端末装置に通知できるため、リアルタイム性を向上することができる。又、監視端末装置５１１〜５１ｎは、状態値要求ブロックを比較的長い周期で端末制御装置４１に送出し、状態値を受信して表示する（同期転送）。このように、非同期転送と同期転送を併用することにより、非同期転送中にデータの欠損が発生した場合でも、同期転送により正しい状態値を受信して表示することができる。・・・請求項７、８
【００１７】
端末制御装置４１に、すべての監視対象部に対応して、故障の有無、故障の修復作業中か否か等複数の状態の状態値をそれぞれ記憶する状態値管理テーブル４２と、すべての監視対象部に対応して、故障発生フリッカ、修復作業発生フリッカ、故障復旧フリッカ等を行うか否かを示すフリッカ値を状態毎に記憶するフリッカ管理テーブル４３を設ける。又、監視端末装置５１１〜５１ｎは、各状態の状態値及びフリッカ値の組合せに対応させてマークの表示色と該マークをフリッカするか否かを示すマーク表示パターンテーブル５３をもうける。端末制御装置４１は、監視端末装置から受信した状態値要求ブロック内の画面番号で指定された系統図中に存在する監視対象部の各状態の値及び各状態のフリッカ値を監視端末装置に通知し、監視端末装置は、マーク表示パターンテーブル５３を参照してマークの表示色及びフリッカするか否かを決定して複数の状態を１つのマークで表示する。以上のようにすれば、１つのマークで各状態（故障の有無、故障の修復作業中か否か等）及び故障発生／修復作業発生／故障復旧したことを表示することができる。・・・請求項９
【００１８】
監視端末装置５１１〜５１ｎをグループ化し、各グループ毎に１つのフリッカ管理テーブルを端末制御装置４１に設ける。端末制御装置４１は所定監視対象部の故障発生あるいは修復作業発生あるいは故障の復旧により、該監視対象部のフリッカ管理テーブルにおけるフリッカ値を１にする。そして、所定の監視端末装置よりフリッカ停止が指示された時、該監視端末装置が属するグループに応じたフリッカ管理テーブルの該当フリッカ値を０にして該グループ内のすべての監視端末装置のフリッカを停止し、他グループに属する監視端末装置のフリッカを停止しないようにする。このようにすれば、複数の監視端末装置が同一地区のネットワーク状態を監視している場合に、センターの監視端末グループ、現場の監視端末グループに分けることにより、フリッカ状態をグループ毎に別個に制御でき、しかも、グループ内では一括して管理でき、運用面での使い勝手が良く、現場でのニーズに応えることができる。
【００１９】
【実施例】
（ａ）全体の構成
図２は本発明の状態監視システムの構成図である。図中、２１は通信ネットワークの各監視対象部の状態（故障の有無、修復作業の有無、運転系等）を収集する状態値収集系、２１ａ〜２１ｃはそれぞれ多数の監視対象部の状態を収集する状態収集装置、２５はＬＡＮ、３１は各状態収集装置２１ａ〜２１ｃから定期的に各監視対象部の状態値を受信してその状態変化を検出する状変検出装置、４１は各監視対象部の状態を一括管理する端末制御装置、５１１〜５１ｎは、所定の系統図ＳＦＧをディスプレイ画面に表示すると共に、系統図中の各監視対象部の状態を１つのマークで表示する監視端末装置である。系統図ＳＦＧにおいて、６１ａ〜６１ｇはネットワーク中の通信装置を示すマークであり、６２ａ〜６２ｊは回線（伝送路）を示すマーク（線）であり、各マークは監視対象部に対応している。系統図は地区毎に異なり、画面番号で特定される。７１は端末制御装置と各監視端末装置間でデータ送受するためのＬＡＮである。
【００２０】
（ｂ）状変検出装置
状変検出装置３１はマイコン構成になっており、図３に示す構成を備えている。３１ａはプロセッサ（ＣＰＵ）、３１ｂはプログラムを記憶するＲＯＭ、３１ｃは各監視対象部の状態値を記憶するＲＡＭ、３１ｄはＬＡＮインタフェース部、３１ｅは端末制御装置４１とデータの送受を行う通信インタフェースである。状変検出装置３１のプロセッサ３１ａは、定期的に状態収集装置２１ａ〜２１ｃからＬＡＮ２５を介して通知される各監視対象部の最新の状態値と１周期前に通知されてＲＡＭ３１ｃに記憶されている状態値を比較する。そして、状態変化が検出された場合には、状態変化した監視対象部と状態値を通信インタフェース部３１ｅを介して端末制御装置４１に通知し、前記最新の状態値をＲＡＭ３１ｃに記憶する。図４は状変検出装置の処理フローである。
【００２１】
プロセッサ３１ａは状態値を状態収集装置２１ａ〜２１ｃから受信したか監視し（ステップ１０１）、受信すればＲＡＭ３１ｃのワークメモリ領域に記憶すると共に、該受信した最新の状態値と１周期前に通知されてＲＡＭ３１ｃに記憶されている状態値を比較する（ステップ１０２）。比較により、所定の監視対象部について状態変化を検出すれば（ステップ１０３）、状態変化した監視対象部と状態値を端末制御装置４１に通知する（ステップ１０４）。ついで、すべての監視対象部について比較処理が終了したかチェックし（ステップ１０５）、終了してなければステップ１０２以降の処理を繰返し、すべての監視対象部について比較処理を終了すれば、最新の状態値をＲＡＭ３１ｃの状態値記憶領域に記憶し（ステップ１０６）、次の状態値の受信を待つ。
【００２２】
（ｃ）端末制御装置
（ｃ−１）  構成
端末制御装置４１はマイコン構成になっており、図５に示す構成を備えている。４１ａはプロセッサ（ＣＰＵ）、４１ｂはプログラムを記憶するＲＯＭ、４１ｃは各種データを記憶するＲＡＭ、４１ｄはＬＡＮインタフェース部、４１ｅは状変検出装置３１とデータの送受を行う通信インタフェースである。ＲＡＭ４１ｃには、（１）  各監視対象部に対応して、故障の有無、故障修復作業中か否か等複数の状態の状態値をそれぞれ記憶する状態値管理テーブル４２、（２）  各監視対象部に対応して、故障発生フリッカ、修復作業発生フリッカ、故障復旧フリッカ等を行うか否かを示すフリッカ値を状態毎に記憶するフリッカ管理テーブル４３、（３）  非同期転送要求（後述）した監視端末装置と画面番号の対応を記憶する非同期端末テーブル４４等が格納されている。
【００２３】
（ｃ−２）  状態値管理テーブル／フリッカ管理テーブル
図６は、状態値管理テーブルとフリッカ管理テーブルを組み合わせた状態値／フリッカ管理テーブルの説明図である。各地区の系統図ＳＦＧ（図２参照）には画面番号が付され、監視対象部に対応するマークにはマーク番号が付されている。又、監視対象部には故障の有無、修復作業中か否か、運転系表示等の複数の状態がある。これら複数の状態に優先度を付け、優先度順に重ね番号を付す。例えば、故障の有無状態の重ね番号を１、作業中か否かを示す状態の重ね番号を２、運用系表示の重ね番号を３とする。更に１つの状態に対して状態値（０又は１）とフリッカ（点滅）するか否かを示すフリッカ値（０又は１）を持たせる。各状態における状態値１は故障中、修復作業中、１系運転中である、・・・を意味し、フリッカ値１は故障発生フリッカ、修復作業発生フリッカ、故障復旧フリッカ・・・の実行を意味する。
【００２４】
状変検出装置３１から状態変化した監視対象部及び状態値が通知されると、端末制御装置４１は状態値／フリッカ管理テーブルにおける該監視対象部の状態値を更新する。すなわち、監視対象部が画面番号ｉに属し、該監視対象部のマーク番号がｊであり、状変した状態の重ね番号がｋのとき、状変検出装置３１は「ｉ，ｊ，ｋ，０又は１」のフォーマットで状変データを端末制御装置４１に送出する。端末制御装置４１は該状変データを受信すれば、状態値／フリッカ管理テーブルのアドレスｉｊｋの状態値欄に０又は１を書き込む。又、端末制御装置４１は例えば故障発生の状態値が送られて来るとアドレスｉｊｋの状態値欄に１を書き込むと共にフリッカ値欄にも１を書き込み、フリッカ停止が所定の監視端末装置より送られて来ると該フリッカ値を０にする。
【００２５】
従って、画面番号１、マーク番号３の監視対象部に障害が発生すると、状変検出装置３１より「１３１１」が送られてきて、重ね番号１（故障）の状態値、フリッカ値がともに１になる。そして、監視端末装置より故障発生に対策を講じてフリッカ停止操作を行うとフリッカ値は０になる。又、作業者が修復作業のために交換局に入って作業開始ボタンを押すと、状変検出装置３１より「１３２１」が送られてきて、画面番号１、マーク番号３、重ね番号２（作業）の状態値、フリッカ値がともに１になる。作業開始を確認して監視端末装置よりフリッカ停止を指示するとフリッカ値は０になる。以後、修復作業が行われ復旧すると、画面番号１、マーク番号３、重ね番号１（故障）の状態値は０、フリッカ値は１になり、復旧確認により監視端末装置よりフリッカ停止を指示するとフリッカ値は０になる。又、修復作業終了ボタンの押下により画面番号１、マーク番号３、重ね番号２（作業）の状態値が０となる。以上のようにして、端末制御装置４１はすべての監視対象部の状態を一括して管理する。尚、図６では状態値とフリッカ値を組み合わせて管理しているが、図７（ａ），（ｂ）に示すように状態値管理テーブル４２とフリッカ値管理テーブル４３を別個に持たせて管理することもできる。
【００２６】
（ｄ）監視端末装置
（ｄ−１）  構成
端末制御装置５１１〜５１ｎはマイコン構成になっており、図８に示す構成を備えている。５１ａはプロセッサ（ＣＰＵ）、５１ｂはプログラムを記憶するＲＯＭ、５１ｃは各種データを記憶するＲＡＭ、５１ｄはＬＡＮインタフェース部、５１ｅはディスプレイ装置、５１ｆはプリンタである。ＲＡＭ５１ｃには、（１）  監視端末制御装置４１より送られて来る監視対象部の状態値及びフリッカ値を記憶するマーク状態管理テーブル５２、（２）  監視対象部における複数の状態値の組合せと表示色の対応関係を記憶するマーク表示パターンテーブル５３、（３）  系統図を表示するための系統図画像データ５４が記憶されている。
【００２７】
（ｄ−２）  マーク状態管理テーブル
図９はマーク状態管理テーブルの構成図であり、画面番号ｍの系統図をディスプレイ装置５１ｅに表示している場合である。画面番号ｍの系統図をディスプレイ装置５１ｅに表示している場合には、マーク状態管理テーブル５２には該系統図に属する監視対象部の各種状態値、フリッカ値のみが記憶される。
監視端末装置５１１のキーボード操作で所定地区の状態表示が指示されると、該監視端末装置は指定された地区の画像データに基づいて系統図をディスプレイ装置５１ｅに表示すると共に、状態値要求ブロックを含むフレームを端末制御装置４１にＬＡＮ７１を介して転送する。図１０は状態値要求ブロック例であり、（１）  ブロックの種別Ｓ１（＝１：状態値要求ブロック）、（２）  監視端末番号Ｓ２、（３）  グループ番号（後述）Ｓ３、（４）  画面番号Ｓ４、（５）  通信方式Ｓ５を有している。通信方式とは端末制御装置４１が監視端末装置５１１〜５１ｎに状態値、フリッカ値を転送するタイミングを規定するものであり、同期方式と非同期方式がある。同期方式は、端末制御装置４１が状態値要求ブロックを受信した時、画面番号で指定された系統図における監視対象部の状態値、フリッカ値を監視端末装置に転送する方式であり、非同期方式は、監視対象部の状態値、フリッカ値が変化する毎に監視端末装置に状態値、フリッカ値を転送する方式である。
【００２８】
端末制御装置４１は状態値要求ブロックを受信すると、状態値／フリッカ管理テーブル（図６）を検索して、指令された画面番号において状態値が１及びフリッカ値が１のコード番号を求める。「画面番号ｉ，マーク番号ｊ，重ね番号ｋ、状態値欄」のコード番号は「ｉｊｋ０」で表現され、「画面番号ｉ，マーク番号ｊ，重ね番号ｋ、フリッカ値欄」のコード番号は「ｉｊｋ１」により表現される。例えば、図６におけるＸ，Ｙ，Ｚで示すコード番号は図１２に示すように「１１１０」、「１１１１」、「２１３０」となる
状態値が１及びフリッカ１のコード番号が求まれば、端末制御装置４１は、これらを応答ブロックを含むフレームによりＬＡＮを介して監視制御装置５１１に通知する。図１１は応答ブロックの例であり、（１）ブロックの種別（＝２：応答ブロック）、（２）  監視端末番号、（３）  状態値あるいはフリッカ値が１のコード数ｎ、（４）  ｎ個のコード番号を有している。監視端末装置５１１は応答ブロックで指示されたコード番号の状態値、フリッカ値を１、応答ブロックで指示されない状態値、フリッカ値を０とし、該状態値、フリッカ値をマーク状態管理テーブル５２に書き込む。以上により、現在ディスプレイ画面に表示している系統図に応じた状態値、フリッカ値がマーク状態管理テーブル５２に格納される。系統図中のすべての監視対象部の状態値を送る必要がなく、状態値、フリッカ値が１のコード番号を送るだけで良いため、通信データ量を減少でき、リアルタイム性を向上することができる。
【００２９】
（ｄ−３）  マーク表示パターンテーブル
図１３はマーク表示パターンテーブル５３の構成図である。１つのマークで複数の状態値及びフリッカ値に応じた表示をしなければならない。そこで、予め、各状態の状態値及びフリッカ値の組合せに対応させて、マークの表示色と該マークをフリッカするか否かを示すマーク表示パターンをテーブル化しておく。マーク表示パターンテーブル５３の作成に際しては、（１）  重ね番号が小さい状態（優先順位が高い状態）の色を重ね番号が大きな状態の色に優先させ、（２）  重ね番号が小さい状態のフリッカ色を重ね番号が大きな状態のフリッカ色に優先させ、（３）  又、フリッカを状態に優先させる。従って、重ね番号１を赤色、重ね番号２を黄色、重ね番号３を緑色とすれば、図１３のＣ１の状態ではマークは赤色フリッカ表示され（故障発生）、Ｃ２の状態では黄色表示され（作業中）、Ｃ３の状態では黄色フリッカ表示され（作業開始）、Ｃ４の状態では緑色フリッカ表示され（１系運転開始）、Ｃ５の状態では赤色表示される。
【００３０】
従って、前述のように現在ディスプレイ画面に表示している系統図に応じた状態値、フリッカ値がマーク状態管理テーブル５２に格納されると、監視端末装置は、マーク表示パターンテーブル５３を参照してマークの表示色及びフリッカするか否かを決定して複数の状態を１つのマークで表示する。このように、１つのマークで各種状態（例えば、故障の有無、故障の修復作業中か否か、運転系等）及び各種状態の発生（故障発生／修復作業発生／故障復旧）を表示することができる。
【００３１】
（ｄ−４）  フリッカ停止制御
各監視対象部の状態は状態値収集装置２１ａ〜２１ｃに収集されて状変検出装置３１を介して端末制御装置４１に入力される。端末制御装置４１は該状態値に基づいて状態値／フリッカ管理テーブル（図６）における状態値を１から０に、あるいは０から１に更新し、かつ、所定の状態の状態値が１になった場合には該状態のフリッカ値を１にする。フリッカ停止はキーボードよりオペレータがフリッカ停止を指示することにより行う。すなわち、監視端末装置５１１〜５１ｎはフリッカ停止が指示されると、フリッカ停止指示ブロックを有するフレームをＬＡＮ７１を介して端末制御装置４１に転送する。図１４はフリッカ停止ブロック例であり、ブロック種別Ｓ１（＝３）と、監視端末番号Ｓ２と、画面番号Ｓ３を有している。
端末制御装置４１はフリッカ停止指示ブロックを受信すると、状態値／フリッカ管理テーブルにおける指令された画面番号内のすべてのフリッカ値を０にする。しかる後、端末制御装置４１は最新の状態値／フリッカ管理テーブルを検索し、前記フリッカ停止ブロックで指定された画面番号を要素として有するコード番号のうち状態値が１のコード番号及びフリッカ値が１のコード番号を求める。そして、状態値が１及びフリッカ値が１のコード番号をまとめて応答ブロックを作成して前記フリッカ停止指示ブロックに含まれる端末番号の監視端末装置５１１に送信する。この結果、それまでフリッカしていたマークのフリッカ値は０であるため監視端末装置５１１はフリッカを停止する。
【００３２】
（ｅ）同期転送／非同期転送制御
前述のように同期転送方式は、端末制御装置４１が状態値要求ブロック（通信方式Ｓ５＝０）を受信した時に、画面番号で指定された系統図における監視対象部の状態値、フリッカ値を監視端末装置に転送する方式である。従って、監視端末装置５１１〜５１ｎは状態値要求ブロックの発信周期で、状態値、フリッカ値を受信してマーク表示することになる。しかし、レスポンス性能を上げたい場合には、状態値要求ブロックにおける通信方式Ｓ５を１にして非同期転送を要求する。
端末制御装置４１は監視端末装置（例えば監視端末装置５１１）より通信方式Ｓ５＝１の状態値要求ブロックを受信すると、Ｓ５＝０のブロックの場合と同様に、状態値／フリッカ管理テーブル（図６）を検索して、指令された画面番号において状態値が１及びフリッカ値が１のコード番号を求め、これらコード番号を応答ブロックにより監視制御装置５１１に通知する。又、端末制御装置４１は状態値要求ブロックに含まれる監視端末装置５１１の端末番号と画面番号の対応関係を非同期端末テーブル４４（図５参照）に格納する。
【００３３】
以後、端末制御装置４１は監視対象部の状態値、フリッカ値が変化する毎に状態値／フリッカ管理テーブルを更新すると共に、該監視対象部が非同期端末テーブル４４に記憶されている画面番号の系統図に属するか判断する。該系統図に属すれば、画面番号に対応して非同期端末テーブル４４に記憶されている端末番号を求める。ついで、状態値／フリッカ管理テーブル（図６）を検索して、前記画面番号を要素として有するコード番号のうち状態値が１のコード番号及びフリッカ値が１のコード番号を求め、これらコード番号を応答ブロックにより監視制御装置５１１に通知する。
以上のようにすれば、監視端末制御装置４１は、状態値要求ブロックを受信しなくても状態が変化すれば直ちに状態値、フリッカ値を監視端末装置に通知できるため、リアルタイム性を向上することができる。
ところで、非同期転送中にデータの欠損が発生し、以後、状態値、フリッカ値が変化しない状態が長時間継続する場合がある。かかる場合には、長時間間違った状態表示を行うことになる。そこで、監視端末装置５１１〜５１ｎは、比較的長い周期で状態値要求ブロックを監視端末制御装置４１に送出して、状態値を受信する（同期転送方式）。このようにすれば、非同期転送と同期転送を併用することにより、非同期転送中にデータの欠損が発生した場合でも、同期転送により正しい状態値を受信して表示することができる。
【００３４】
（ｆ）フリッカの同期制御
監視端末装置５１１〜５１ｎをグループ化し、図１５に示すように、各グループ毎に１つのフリッカ管理テーブル４３ａ，４３ｂ，・・・４３ｐを監視端末制御装置４１に設ける。監視端末制御装置４１は、所定監視対象部において所定の状態が発生（故障発生あるいは修復作業発生あるいは故障の復旧）すると、該監視対象部のフリッカ値を管理するすべてのフリッカ管理テーブルのフリッカ値を１にする。そして、所定の監視端末装置よりフリッカ停止が指示された時、（１）  該監視端末装置が属するグループに応じたフリッカ管理テーブルの該当フリッカ値を０にして該グループ内のすべての監視端末装置のフリッカを停止し、（２）  他グループに属する監視端末装置のフリッカを停止しないようにする。
このようにすれば、複数の監視端末装置が同一地区のネットワーク状態を監視している場合に、センターの監視端末グループ、現場の監視端末グループに分けることにより、フリッカ状態をグループ毎に別個に、しかも、グループ内では一括して管理でき、運用面での使い勝手が良く、現場でのニーズに応えることができる。
【００３５】
（ｇ）変形例
以上では、マークの表示色を変えると共にフリッカすることにより各種状態を表示したが表示色のみ変えて各種状態を表示することもできる。かかる場合には、端末制御装置４１にフリッカ管理テーブル４３を設ける必要はない。又、監視端末装置５１１〜５１ｎのマーク表示パターンテーブル５３には、各状態の状態値の組合せとマークの表示色の対応関係をパターン化して登録しておく。
端末制御装置４１は、監視端末装置５１１〜５１ｎから状態値要求ブロックを受信すると、状態値管理テーブル４２を検索して、指令された画面番号を要素として有するコード番号のうち状態値が１のコード番号を求め、状態値要求ブロックを発行した監視制御装置５１１に求めたコード番号を応答ブロックで通知する。監視端末装置５１１は応答ブロックで指示されたコード番号の状態値を１、応答ブロックで指示されない状態値を０とし、該状態値をマーク状態管理テーブル５２に書き込む。しかる後、監視端末装置は、マーク表示パターンテーブル５３を参照してマークの表示色を決定して複数の状態を１つのマークで表示する。以上のようにすれば、故障表示マーク、作業表示マーク、運転表示マーク等の各種マークを個別に設けなくても、１つのマークで各種状態を表示でき、しかも、１画面で多数の装置の状態を表示することができる。
【００３６】
（ｈ）本発明の適用例
（ｈ−１）  構成
図１６は本発明を適用した場合の状態監視システムの構成説明図である。図１６（ａ）に示すように監視端末装置の数は１０台で、３グループに分けられ、第１グループは監視端末装置ＮＯ．１〜ＮＯ．３、第２グループは監視端末装置ＮＯ．４〜ＮＯ．６、第３グループは監視端末装置ＮＯ．７〜ＮＯ．１０で構成されている。画面数（系統図の数）は図１６（ｂ）に示すように３画面で、第１画面のマーク数（監視対象部数）は３個、第２画面のマーク数は２個、第３画面のマーク数は１個である。各監視対象部の状態は、（１）故障の有無（故障マーク）、（２）作業中か否か（作業マーク）、（３）  冗長構成されている場合において１系運転か否か（運転系表示マーク）の３つであり、それぞれの重ね番号は１、２、３である。従って、端末制御装置４１の状態値管理テーブル４２は図１７（ａ）に示す構成になっており、グループ毎にフリッカ管理テーブル４３ａ，４３ｂ，４３ｃが設けられ、図１７（ｂ）に示す構成になっている。
又、監視端末装置に設けられるマーク表示パターンテーブル５３には、図１６（ｃ）に示すように、３つの状態値と３つのフリッカ値の組合せに対応させて１２８通りの表示色、フリッカの要否が記憶されている。尚、白色フリッカは故障復旧を示すものである。
【００３７】
（ｈ−２）  監視制御手順
図１８は監視制御手順説明図である。
（１）  監視端末装置５１１のキーボードより系統図面番号ＮＯ．１を表示する操作を行うと、監視端末装置５１１は図１９（ａ）に示す状態値要求ブロックを有するフレームを作成し、ＬＡＮを介して端末制御装置４１に送信する。
（２）  端末制御装置４１は状態値要求ブロックを受信すると、初期状態の状態値管理テーブル４２とフリッカ管理テーブル４３ａ（図１７参照）を検索し、状態値要求ブロック内の画面ＮＯ．（＝１）において状態値が１及びフリッカ値が１のコード番号を求める（コード番号１１１０，１３１０が求まる）。そして、状態値が１及びフリッカ値が１のコード番号をまとめて図１９（ｂ）に示す応答ブロックを作成して監視端末装置５１１に送信する。
【００３８】
（３）  監視端末装置５１１は応答ブロックを受信すると、応答ブロック内のコード番号の状態値は１、その他のコード番号の状態値は０としてマーク状態管理テーブル５２（図２０（ａ）参照）を作成し、マーク表示パターンテーブル５３（図１６（ｃ））を参照して系統図中に通信ネットワークの監視対象部の状態をマークで表示する。
（４）  端末制御装置４１は、状変検出装置３１より状変を受信すると、状態値管理テーブル４２及び各グループのフリッカ管理テーブル４３ａ〜４３ｃの内容を更新する。例えば、状変検出装置３１より画面番号１、マーク番号２の監視対象部における故障発生が通知されたものとすると、図２１（ａ）に示すようにコード番号１２１０の状態値が１になり、又、コード番号１２１１のフリッカ値が１になる。
【００３９】
（５）  （１）の状態値要求ブロックが発行されてから一定時間が経過すると、監視端末装置５１１は再度図１９（ａ）に示す状態値要求ブロックを発信する。監視端末装置４１は状態値要求ブロックを受信すると、図２１（ａ）の状態値管理テーブル４２とフリッカ管理テーブル４３ａを検索し、状態値要求ブロック内の画面ＮＯ．（＝１）において状態値が１及びフリッカ値が１のコード番号を求める（コード番号１１１０，１２１０，１３１０，１２１１が求まる）。そして、状態値が１及びフリッカ値が１のコード番号をまとめて図１９（ｃ）に示す応答ブロックを作成して監視端末装置５１１に送信する。
監視端末装置５１１は応答ブロックを受信すると、応答ブロック内のコード番号の状態値は１、その他のコード番号の状態値は０としてマーク状態管理テーブル５２（図２０（ｂ）参照）を作成し、マーク表示パターンテーブル５３を参照して系統図中に通信ネットワークの監視対象部の状態をマークで表示する。
【００４０】
（６）  しかる後、オペレータが監視端末装置５１１よりフリッカ停止を指示すると、該監視端末装置５１１は図１９（ｄ）に示すフリッカ停止指示ブロックを端末制御装置４１に送信する。
（７）  端末制御装置４１はフリッカ停止指示ブロックを受信すると、該ブロック内の監視端末番号及び画面番号（＝１）を求め、監視端末装置５１１が属する第１グループに応じたフリッカ管理テーブル４３ａにおける画面番号（＝１）内の全フリッカ値を０にクリアする（図２１（ｂ）参照）。しかる後、端末制御装置４１は最新の状態値管理テーブル４２とフリッカ管理テーブル４３ａ（図２１（ｂ））を検索し、画面ＮＯ．（＝１）において状態値が１及びフリッカ値が１のコード番号を求める（コード番号１１１０，１２１０，１３１０が求まる）。そして、状態値が１及びフリッカ値が１のコード番号をまとめて図１９（ｅ）に示す応答ブロックを作成して監視端末装置５１１に送信する。
監視端末装置５１１は応答ブロックを受信すると、応答ブロック内のコード番号の状態値は１、その他のコード番号の状態値は０としてマーク状態管理テーブル５２（図２０（ｃ）参照）を作成し、マーク表示パターンテーブル５３を参照して系統図中に通信ネットワークの監視対象部の状態をマークで表示する。
（８）  以後、上記動作が繰り返される。尚、他の監視端末装置についても同様の動作が行われる。
以上、本発明を実施例により説明したが、本発明は請求の範囲に記載した本発明の主旨に従い種々の変形が可能であり、本発明はこれらを排除するものではない。
【００４１】
【発明の効果】
以上本発明によれば、端末制御装置によりすべての監視対象部の状態を一括管理し、監視端末装置より要求があった時にのみ端末制御装置は要求された系統図中に存在する監視対象部の状態値を監視端末装置に通知するようにしたから、端末制御装置と各監視端末装置間での通信負荷を軽減でき、しかも、状変検出装置と端末制御装置とによりＣＰＵ負荷の分散を図ったから、リアルタイム性を向上することができる。
本発明によれば、監視対象部の各状態の状態値の組合せと表示色の対応関係を記憶するマーク表示パターンテーブルを設け、該テーブルを参照してマークの表示色を決定して複数の状態を１つのマークで表示するようにしたから、従来のように故障表示マーク、作業表示マーク、運転表示マーク等の各種マークを個別に設けなくても、１つのマークで各種状態を表示でき、しかも、１画面で多数の装置の状態を表示することができる。
【００４２】
本発明によれば、端末制御装置は、状態値要求ブロックに含まれる画面番号で指定された系統図中に存在する監視対象部のうち状態値が１の監視対象部を監視端末装置に通知し、監視端末装置は、受信した監視対象部の状態値を１、受信しない監視対象部の状態値を０とし、該状態値に基づいて各監視対象部の状態を系統図中に表示するようにしたから、系統図中のすべての監視対象部の状態値を監視端末装置に送る必要がないため、通信データ量を減少でき、リアルタイム性を向上することができる。
本発明によれば、端末制御装置は、非同期転送を必要とする監視端末装置と該監視端末装置が表示している系統図の画面番号との対応を記憶し、該系統図中の監視対象部の状態が変化したとき、状態値を監視端末装置に直ちに通知するようにしたから、リアルタイム性を向上することができる。又、監視端末装置は、非同期転送モードにおいて状態要求ブロックを比較的長い周期で端末制御装置に送出して状態値を受信する（同期転送）ようにしたから、すなわち、非同期転送と同期転送を併用するようにしたから、非同期転送中にデータの欠損が発生した場合でも、同期転送により正しい状態値を受信して表示することができる。
【００４３】
本発明によれば、１つのマークで表示色を変えると共にフリッカの有無により、各種状態（故障の有無、故障の修復作業中か否か等）及び故障発生／修復作業発生／復旧したことを表示することができ、しかも、１画面で多数の装置の状態を表示することができる。
本発明によれば、複数の監視端末装置が同一地区のネットワーク状態を監視している場合に、センターの監視端末グループ、現場の監視端末グループ等に分けることにより、フリッカ状態をグループ毎に別個に制御し、しかも、グループ内では一括して管理でき、運用面での使い勝手が良く、現場でのニーズに応えることができる。
【図面の簡単な説明】
【図１】本発明の原理説明図である。
【図２】本発明の状態監視システムの構成図である。
【図３】状変検出装置の構成図である。
【図４】状変検出装置の処理フローである。
【図５】端末制御装置の構成図である。
【図６】状態値／フリッカ管理テーブルの説明図である。
【図７】状態値管理テーブル及びフリッカ管理テーブルの説明図である。
【図８】監視端末装置の構成図である。
【図９】マーク状態管理テーブルの説明図である。
【図１０】状態値要求ブロックの構成図である。
【図１１】応答ブロックの構成図である。
【図１２】コード番号説明図である。
【図１３】マーク表示パターンテーブルの説明図である。
【図１４】フリッカ停止指示ブロックの構成図である。
【図１５】グループ分けした場合のフリッカ管理テーブルの説明図である。
【図１６】適用例のシステム構成図である。
【図１７】端末制御装置における管理テーブル（初期値）の説明図である。
【図１８】監視制御手順説明図である。
【図１９】各種ブロックの説明図である。
【図２０】マーク状態管理テーブル説明図である。
【図２１】端末制御装置における管理テーブル説明図である。
【図２２】従来の状態監視システムの構成図（その１）である。
【図２３】従来の状態監視システムの構成図（その２）である。
【符号の説明】
１１・・通信ネットワーク
１１ａ〜１１ｄ・・交換機等の通信装置
１２ａ〜１２・・伝送路
２１・・状態値収集系
２１ａ〜２１ｃ・・状態収集装置
３１・・状変検出装置
３１ａ・・記憶部
３１ｂ・・状態値比較部
３１ｃ・・通知部
４１・・端末制御装置
４２・・状態値管理テーブル
４３・・フリッカ管理テーブル
５１１〜５１ｎ・・監視端末装置
５２・・マーク状態管理テーブル
５３・・マーク表示パターンテーブル
【図１】
0003602608.tif 000002
【図２】
0003602608.tif 000003
【図３】
0003602608.tif 000004
【図４】
0003602608.tif 000005
【図５】
0003602608.tif 000006
【図６】
0003602608.tif 000007
【図７】
0003602608.tif 000008
【図８】
0003602608.tif 000009
【図９】
0003602608.tif 000010
【図１０】
0003602608.tif 000011
【図１１】
0003602608.tif 000012
【図１２】
0003602608.tif 000013
【図１３】
0003602608.tif 000014
【図１４】
0003602608.tif 000015
【図１５】
0003602608.tif 000016
【図１６】
0003602608.tif 000017
【図１７】
0003602608.tif 000018
【図１８】
0003602608.tif 000019
【図１９】
0003602608.tif 000020
【図２０】
0003602608.tif 000021
【図２１】
0003602608.tif 000022
【図２２】
0003602608.tif 000023
【図２３】
0003602608.tif 000024